(57)【要約】【課題】記録されているコンテンツに関する情報を容易に取得可能な記録メディアおよび記録再生装置を提供する。また、複数の記録メディア間で容易にコンテンツの入れ替えが可能な記憶メディアおよび記録再生装置を提供する。【解決手段】本発明にかかる記録メディアは、メモリカード部などの第１の記憶手段と、ＲＦタグ部などの第２の記憶手段を備え、記録再生装置に記録メディアが挿入されている場合は第１の記憶手段の通信手段により記録再生装置とデータ通信を行い、記録再生装置に記録メディアが挿入されていない場合は第２の記憶手段の通信手段により記録再生装置とデータ通信を行うことを特徴とする。また、記録再生装置では、記録メディア間のデータの移動を行う際に、移動するコンテンツやコンテンツの移動先の選択や、記録メディアの挿入をユーザに促すための通知手段を備える。【選択図】  図１
2008131215.tif 000002
【特許請求の範囲】
【請求項１】
記録再生装置に挿入可能な記録メディアであって、
前記記録再生装置に前記記録メディアが挿入されている場合に前記記録再生装置からコンテンツデータを受信可能な第１の通信手段と、前記第１の通信手段により受信されたコンテンツデータを記憶可能な第１のメモリと、を有する第１の記憶手段と、
前記第１のメモリに記憶されたコンテンツデータに関連したコンテンツ関連情報を記憶する第２のメモリと、前記記録再生装置に前記記録メディアを挿入することなしに前記第２のメモリに記録されたコンテンツ関連情報を前記記録再生装置に送信可能な第２の通信手段と、を有する第２の記憶手段と、
を備えていることを特徴とする記録メディア。
【請求項２】
前記第１の記憶手段は、メモリカード部であることを特徴とする請求項１に記載の記録メディア。
【請求項３】
前記第２の記憶手段は、ＲＦタグであることを特徴とする請求項１または２に記載の記録メディア。
【請求項４】
前記記録メディアが前記記録再生装置に挿入されている場合に、前記第２のメモリに記録されたコンテンツ関連情報を前記第１の通信手段により前記記録再生装置に送信することを特徴とする請求項１ないし３のいずれかに記載の記録メディア。
【請求項５】
第１の記憶手段および第２の記憶手段を備えた記録メディアとデータ通信可能な記録再生装置であって、
コンテンツデータを受信可能な受信手段と、
前記記録メディアが挿入されている場合に前記第１の記憶手段の通信部と通信を行い、前記受信部により受信されたコンテンツデータを前記記録手段に送信する第１の通信手段と、
前記記録メディアが挿入されていない場合に前記第２の記憶手段の通信部と通信を行い、前記記録メディアからデータを受信する第２の通信手段と、
を備えていることを特徴とする記録再生装置。
【請求項６】
表示手段、操作手段および記憶手段を備えた記録再生装置において、
請求項１ないし請求項４のいずれかに記載の記録メディアの前記第１の記憶手段に接続して、前記第１のメモリのデータの読書きを行う記録メディアリーダライタ部と、前記第２の通信手段と通信し、前記第２のメモリのデータの読書きを行うＲＦタグリーダライタ部とを設け、前記ＲＦタグリーダライタ部で前記記録メディアの前記第２のメモリからコンテンツ関連情報を読み込み、前記コンテンツ関連情報をまとめてコンテンツリストとして前記記憶手段に記憶し、前記コンテンツリストの一部あるいは全部を前記表示手段で表示することを特徴とする記録再生装置。
【請求項７】
請求項６記載の記録再生装置において、
前記記録再生装置にコンテンツ情報処理手段を設け、前記第１のメモリに新たなコンテンツデータを記録する場合に、前記記録再生装置の記憶手段に格納されているコンテンツリストに前記新たなコンテンツデータのコンテンツ関連情報を追加して、新たなコンテンツリストを生成し、前記ＲＦタグリーダライタ部で前記第２のメモリに前記新たなコンテンツリストあるいは前記新たなコンテンツ関連情報を記録することを特徴とする記録再生装置。
【請求項８】
請求項７に記載の記録再生装置において、
前記コンテンツ情報処理手段にコンテンツ編集機能を設け、前記コンテンツ編集機能は、前記記憶手段に記録されているコンテンツリストを複製して編集用コンテンツリストデータを生成し、前記操作手段を用いたユーザ操作に従い、前記編集用コンテンツリストデータの編集を行い、編集終了後、前記編集用コンテンツリストデータと前記コンテンツリストデータとを比較し、削除あるいは追加されているコンテンツ情報がある前記編集用コンテンツリストデータに対応した記録メディアの挿入を促すメッセージを前記表示手段に表示することを特徴とする記録再生装置。
【請求項９】
請求項７の記載の記録再生装置において、
前記コンテンツ情報処理手段に記録メディア挿入順序決定機能を設け、前記記録メディア挿入順序決定機能は前記記録メディアの挿入順序を決め、前記記録メディア挿入順序決定機能が決めた順序に従い、前記表示手段に前記記録メディアの挿入メッセージ順次表示することを特徴とする記録再生装置。
【請求項１０】
請求項１ないし請求項４のいずれかに記載の記録メディアを複数個接続可能な入出力端子と、前記入出力端子から１個を選択するスイッチャーと、前記記録メディアへのデータ読書きを行う読書手段と、記録再生装置からの制御命令を受信可能な無線通信手段とを備え、
前記無線通信手段で受信した制御命令により、前記スイッチャーの制御および前記記録メディアへのデータ読書きを行うことを特徴とする記録メディアチェンジャー。
【発明の詳細な説明】
【技術分野】
【０００１】
本発明は、書き換え可能な記録メディアおよび記録再生装置に関する。
【背景技術】
【０００２】
特許文献１に、記録媒体を記録再生装置に挿入することなく、当該記録媒体に記録されたコンテンツに関する情報を参照できる記録媒体や記録再生装置が開示されている。この記録再生装置は、記録媒体に記録されたコンテンツに関するコンテンツ情報を媒体識別子に関連付けて記憶し、記録媒体のＩＣタグから取得した媒体識別子に対応するコンテンツ情報を検索し、検索結果を表示する。
【０００３】
【特許文献１】特開２００５−３０２１３５号公報
【発明の開示】
【発明が解決しようとする課題】
【０００４】
特許文献１に記載の方法は、予め媒体識別子に関連付けてコンテンツ情報を記録再生装置に記録させることにより、記録媒体に記録されたコンテンツに関する情報を参照するものであり、コンテンツ情報が登録されていない記録再生装置で、記録媒体を記録再生装置に挿入することなく、容易に記録媒体のコンテンツ情報を読み取る方法について記載されていない。さらに、複数の記録媒体間でのコンテンツ入れ替え方法について記載されていない。
【０００５】
そこで、本発明は、記録されているコンテンツに関する情報を容易に取得可能な記録メディアおよび記録再生装置を提供することを目的とする。また、複数の記録メディア間で容易にコンテンツの入れ替えが可能な記憶メディアおよび記録再生装置を提供することを目的とする。
【課題を解決するための手段】
【０００６】
本発明にかかる記録メディアは、メモリカード部などの第１の記憶手段と、ＲＦタグ部などの第２の記憶手段で構成し、記録再生装置に記録メディアが挿入されている場合は第１の記憶手段の通信手段により記録再生装置とデータ通信を行い、記録再生装置に記録メディアが挿入されていない場合は第２の記憶手段の通信手段により記録再生装置とデータ通信を行うことを特徴とする。また、記録再生装置では、記録メディア間のデータの移動を行う際に、移動するコンテンツやコンテンツの移動先の選択や、記録メディアの挿入をユーザに促すための通知手段を備える。
【発明の効果】
【０００７】
本発明によれば、記録されているコンテンツに関する情報を容易に取得可能な記録メディアおよび記録再生装置を提供することができる。また、複数の記録メディア間で容易にコンテンツの入れ替えが可能な記憶メディアおよび記録再生装置を提供することができる。
【発明を実施するための最良の形態】
【０００８】
以下、コンテンツが地上デジタル放送により放送された番組である場合を例にして説明する。
【０００９】
図１は、コンテンツ処理システムの一例を示す構成図である。本１は映像や音声の記録及び再生を行う録画再生装置であり、携帯型あるいは据置き型のどちらでも良い。２はデジタルデータが記録可能な記録メディアであり、例えば、読書き可能なフラッシュメモリを備えたにメモリカード等である。録画再生装置１および記録メディア２の構成の詳細を説明する。
【００１０】
まず、録画再生装置１の構成を説明する。受信部５は、放送受信用のアンテナ４で受信した電波の選局を行い、デジタルデータとしてコンテンツデータを取り出す。ここで、コンテンツデータが暗号化されていたり、圧縮されていたりする場合は、受信部５でコンテンツデータの複合化あるいは伸張を行う。制御部６は、記録再生装置１の様々な制御を行うものであり、受信部５から送られてきたコンテンツデータを再生可能なデータに変換する等の処理を行うデータ処理手段７や、処理されたコンテンツデータの再生や記録を行う記録再生手段８、記録されたコンテンツデータの記録時間およびタイトル等のリストを生成するコンテンツリスト生成手段９を有している。
【００１１】
記憶部１０は、記録再生手段８で記録されたコンテンツや、コンテンツリスト生成手段９で作成されたコンテンツリスト等を格納する。操作部１１は、例えば、ボタンあるいはタッチパネル等であり、ユーザはこの操作部１１を使い、受信部５の選局指示や記録再生手段８への録画、再生の指示等を入力する。表示部１２は、例えば、液晶ディスプレイ等で構成され、コンテンツや操作メニュー画面等の表示を行う。
【００１２】
記録メディアＲＷ部１３は、制御部６の指示に従い、記録再生処理手段８から出力されたコンテンツデータを記録メディア２に記録、あるいは、記録メディア２内に記録されているコンテンツデータの読み取りを行う。ＲＦタグＲＷ部１４は、ＲＦタグと非接触で通信し、ＲＦタグのデータの読み書きを行う。なお、ＲＦタグはＲＦＩＤ（Radio Frequency Identification ）または無線ＩＣタグ等、様々な呼び方で呼ばれる電波あるいは電磁波を用いて、内蔵したメモリを非接触で読書きする情報媒体である。
【００１３】
記録メディア２は、記録メディアＲＷ部１３と接続し、コンテンツ等のデータ受け渡しを行うメモリカード部２１と、ＲＦタグＲＷ部１４と無線接続しデータの送受信を行うＲＦタグ部２２で構成される。メモリカード部３１は、記録メディアＲＷ１３と接続する為の端子部２３、記録メディアＲＷ１３が要求するデータを読み出す為の制御部２４、データを記録するメモリ部２５で構成される。メモリ部２５には、例えば、コンテンツ２６が記録される。ＲＦタグ部２２は、データを記録するメモリ部２９、記録再生装置１のＲＦタグＲＷ部１４と通信する為のアンテナ２７、ＲＦタグＲＷ部１４からの要求に従いデータを読み出す為の制御部２８、とで構成される。メモリ部２９には、例えば、ＲＦタグ部２２の固有識別子であるＩＤ３０および、メモリカード部２１のメモリ部２５に記録されているコンテンツのコンテンツ情報３１等が記録される。
【００１４】
図２にＲＦタグ部２２のメモリ部２９内のメモリマップの一例を示す。メモリマップ４０は、ＩＤ格納領域４１、ＲＦタグ情報領域４２、メモリカード情報領域４３、およびコンテンツ情報格納領域４４を有する。ＩＤ格納領域部４１は、固有ＩＤ３０を格納する領域であり、例えば、記録メディア出荷時に一度書き込まれたら、読み出しはできるが、書き換えられない領域とする。ＲＦタグ情報データ格納領域４２にはＲＦタグ２２の種類を判別するデータ等が格納され、メモリカード情報領域４３にはメモリカード部２１のメモリ２５の容量や残量、メモリカードアクセス履歴等の情報が格納されている。コンテンツ情報格納領域４４には記録メディア２に格納されているコンテンツのタイトルや記録日時等の項目に対応する情報が、各項目対応して決められた容量かつ順番で格納されている。例えば、タイトル文字で４０バイト、記録日時は数値で８バイト等を確保し、決められた項目順に記録されていれば、記録再生装置１では、ＲＦタグＲＷ１４を介して、コンテンツ情報を読み取ることが可能である。
【００１５】
図３にＲＦタグ部２２のメモリ２９に記録されているコンテンツ情報例を示す。本例では、コンテンツ情報には、記録メディア２のメモリ部２５に記録されたコンテンツ５５、５６、５７それぞれについて、タイトル５１、ジャンル５２、記録日時５３、記録時間５４等の項目に対応した情報が記録されている。
【００１６】
なお、例えば、コンテンツ情報領域の先頭あるいはメモリカード情報領域等に、格納されているコンテンツ情報数およびコンテンツ情報の項目に対応した容量値を記述することにより、各コンテンツ情報の各項目情報を任意に設定することができる。また、ジャンル５２等は、文字データで記録するほか、予めジャンルに対応する番号を決めておき、対応する番号を記録するようにしてもよい。また、コンテンツ情報が無い部分では、例えば、コンテンツ「不思議な世界」５１のジャンルに示すように、「−」表示やデータが無いことを示す表示としてもよい。以上説明した、記録再生装置１で記録メディア２のコンテンツ情報の読み出しについて説明する。
【００１７】
図４にコンテンツ情報読出し処理フローの一例を示す。まず、記録再生装置１のＲＦタグＲＷ部１４から、電波あるいは磁界にのせて通信に必要な情報を送り、通信可能なＲＦタグの探索を行う（Ｓ２０１）。ＲＦタグＲＷ部１４と通信可能な範囲にＲＦタグ部２２があれば、ＲＦタグＲＷ部１４の電波あるいは磁界により電力が発生され（Ｓ２０２）、ＲＦタグ部２２はＲＦタグＲＷ部１４に応答を返す（Ｓ２０３）。次に、ＲＦタグＲＷ部１４では、ＲＦタグの種類、ここでは、コンテンツ情報が記録可能なＲＦタグであることを確認する為、ＲＦタグ情報データ格納領域４２にあるＲＦタグ情報の取得を行う（Ｓ２０４）。取得したＲＦタグ情報から対応しているＲＦタグかどうかを確認し（Ｓ２０５）、対応したＲＦタグでない場合は、他のＲＦタグの検索を行う（Ｓ２０６）。一方、対応したＲＦタグの場合は、ＲＦタグＲＷ部１４はＩＤの取得（Ｓ２０７）、メモリカード情報の取得（Ｓ２０８）、コンテンツ情報の取得（Ｓ２０９）を行う。これら、Ｓ２０７におけるＩＤの取得、Ｓ２０８におけるメモリカード情報取得およびＳ２０９におけるコンテンツ情報の取得の順番は、図４に示す例に限定するものではなく、順番を変えて実行しても良いし、同時に行っても良い。さらに、記録メディアを複数枚読み取る場合は、Ｓ２０１の情報送信からの処理を繰り返し行い、各記録メディアのコンテンツ情報の取得を行う。以上の処理により、取得したコンテンツ情報をコンテンツリストとして記録再生装置１の表示部１２に表示する（Ｓ２１０）。
【００１８】
以上説明したように、本例では、記録メディア２内のメモリ２９に記録されたコンテンツ情報を記録再生装置１のＲＦタグＲＷ部１４により取得するため、記録メディア２を記録再生装置１に挿入することなく、また事前に記録再生装置１に事前にコンテンツ情報を記録させておく必要なく、記録メディア２内のコンテンツを容易に確認することができる。
【００１９】
図５に記録再生装置１の表示部１２で表示するコンテンツリストの表示例を示す。６１は記録メディアを識別する情報であり、すなわちＩＤを表示している。本例では、ＩＤとして番号を表示しているが、文字やマーク等を用いても良い。６２はコンテンツリスト表示部であり、図３に示したコンテンツ情報の一部あるいはすべてのデータが表示される。ここで、ジャンルは文字で表示してもよいし、わかりやすいアイコン等で表示してもよい。６３は、メモリカード情報内にある記録メディアの残量を示している。６４，６５および６６は操作ボタンを示しており、操作部から操作ボタンを選択することにより、ユーザが所望する操作を行うことができる。例えば、詳細表示が見たいコンテンツがある場合は、コンテンツリストから見たいコンテンツを選択し、６６の詳細ボタンを選択することにより詳細画面の表示を行う。詳細画面は、例えば、コンテンツ変更履歴や、コンテンツの詳細な解説等、コンテンツリストデータにある範囲内で表示を行う。
【００２０】
次に、コンテンツ及びコンテンツ情報の記録メディアへの書込み手順について説明する。図６にコンテンツ及びコンテンツ情報の記録メディアへの書込み処理フロー例を示す。ここでは、記録メディア２は予め記録再生装置１の記録メディアＲＷ部１３に挿入されているものとする。
【００２１】
コンテンツの保存場所に記録メディア２が選択されると（Ｓ３０１）、記録再生装置１は記録メディアのメモリの残容量を取得し（Ｓ３０２）、コンテンツのタイプがストリーミングにより取得されるストリーミングデータであるか否かを判定し（Ｓ３０３）、ストリーミングデータの場合は、記録メディア２のメモリ残容量から記録可能な時間を算出し（Ｓ３０４）、表示画面に記録可能時間を表示する（Ｓ３０５）。既に記録再生装置１にコンテンツが記録されているなど、ストリーミングデータではない場合は、コンテンツの容量と記録メディア２のメモリ残容量とを比較し（Ｓ３０６）、記録メディア２のメモリ残容量が不足していれば、メモリ残量不足のメッセージを表示し（Ｓ３０７）、ユーザに記録メディアの交換を促す。記録メディア２のメモリ残容量が足りているか、ストリーミングデータの場合は、記録再生装置１は、記録メディア２にコンテンツを書き込み（Ｓ３０８）、書込み終了後に、再度、記録メディア２のメモリ残容量を取得する（Ｓ３０９）。
【００２２】
次に、記録メディア２からコンテンツ情報を取得するコンテンツ情報取得処理を行う（Ｓ３１０）。このＳ３１０のコンテンツ情報取得処理は、図４のＳ２０１〜２０９の処理と同様なため、説明は省略する。また、既にコンテンツリストデータを取得済みであれば、Ｓ３１０を省略しても良い。そして、取得したコンテンツリストデータに、先に記録メディア２に書き込んだコンテンツのコンテンツ情報を追加し、コンテンツリストデータ領域に書き込む。さらに、Ｓ３０９で取得したメモリ残容量情報を書き込む（Ｓ３１３）。
【００２３】
以上説明した処理により、記録再生装置１は記録メディア２に記録したコンテンツに対応したコンテンツ情報を記録メディア２のＲＦタグ部２２に書き込むことができる。また、ユーザが後で記録メディア２にどのようなコンテンツが記録されているか確認したい場合に、記録メディア２を記録再生装置１の記録メディアＲＷ１３に挿入することなく、記録されたコンテンツの内容を知ることができる。
【００２４】
図７に、記録メディアの他の構成例を示す。記録メディア２２０は、図１に示す記録メディア２に、メモリカード部２１とＲＦタグ部２２の間にスイッチ２２１を追加したものである。図１と同じものには同じ番号を付しており説明は省略する。
【００２５】
記録メディア２２０では、メモリカード部２１の端子に電源が供給されている場合、つまり、記録再生装置１に、記録メディア２２０が記録メディアＲＷ部１３に挿入されている場合は、メモリカード部２１の制御部２４とＲＦタグ部２２のメモリ２９とを接続し、それ以外はＲＦタグ部２２の制御部２８とメモリ２９とを接続する。これにより、記録再生装置１の記録メディアＲＷ部１３に、記録メディア２２０が挿入されている場合、ＲＦタグ部２２のメモリ２９への読書きを、記録メディアＲＷ１３で行うことが可能になる。このように、記録メディア２２０が記録メディアＲＷ部に挿入されている場合に、ＲＦタグＲＷ部１４の代わりに記録メディアＲＷ部１３によりメモリ２９への読書きを行うことにより、記録メディアＲＷ１３に挿入されている記録メディアとは違う、近くにある記録メディアにコンテンツ情報を書き込んでしまったりすることを防止することができる。また、ＲＦタグ部２２の取り付け位置によっては、記録メディア２２０を記録メディアＲＷ部１３に挿入していてはＲＦタグＲＷ１４がＲＦタグ部２２と通信できない可能性がある。そのため、記録メディア２２０が記録メディアＲＷ部に挿入されている場合に、ＲＦタグＲＷ部１４の代わりに記録メディアＲＷ部１３によりメモリ２９への読書きを行うことにより、記録メディア２２０へのコンテンツ情報の書き込みを確実に行うことができる。
【００２６】
次に、記録メディア間でコンテンツを移動させる方法について説明する。
【００２７】
図８にコンテンツ処理システムの他の構成例を示す。記録再生装置６０１は、図１に示す記録再生装置１に、記憶メディアのコンテンツ削除や、記憶メディア間のコンテンツの移動および複写処理を行うコンテンツ編集処理手段６０２を追加したものである。図１と同じものには同じ番号を付し、説明は省略する。以下、コンテンツ編集処理手段６０２におけるコンテンツ編集処理について説明する。
【００２８】
図９は、記録メディア３枚分のコンテンツリストを読み込んだ記録再生装置６０１の表示部１２での表示例である。また、図３を第１の記録メディアのコンテンツ情報例とし、図１０（１）を第２の記録メディアのコンテンツ情報例、図１０（２）を第３の記録メディアのコンテンツ情報例とする。ここで、図９では図５と同様なものには同じ番号を付しており、図１０では図３と同様なものには同じ番号を付しており、各々の説明は省略する。
【００２９】
本例では、図１０（１）に示すように第２の記録メディアにはコンテンツ５８およびコンテンツ５９が記録されており、図１０（２）に示すように第３の記録メディアにはコンテンツ６０が記録されている。図９の７１、７２、７３は各記録メディアに対応したタブであり、それぞれ第１の記録メディアのＩＤ、第２の記録メディアのＩＤ、第３の記録メディアのＩＤを示しており、選択されたＩＤのコンテンツリストが一番上に表示される。図９では、コンテンツリスト６２に第１の記録メディアのコンテンツリストを表示している例を示している。ここで、タブ７２を選択すると、第２の記録メディアのコンテンツリストが、タブ７３を選択すると第３のメディアのコンテンツリストが表示される。そして、編集ボタン６５が選択されると、編集モードが起動され、コンテンツ編集処理手段６０２でコンテンツ編集処理を開始する。
【００３０】
図１１は、コンテンツ編集処理中の記録再生装置６０１の表示部１２における表示画面例を示している。図５あるいは図８と同じものには同じ番号を付し、説明は省略する。図１１において、８１、８２、８３、８４、８５、８６，８７および８８は編集操作用のボタンであり、８９は第３の記録メディアのコンテンツリスト、９０は第３の記録メディアの記憶容量の残量を示している。
【００３１】
移動ボタン８１を選択するとコンテンツの移動設定が、複写ボタン８２を選択するとコンテンツの複写設定が、削除ボタン８３を選択するとコンテンツの削除設定が、変更ボタン８４を選択するとコンテンツ情報の変更設定が可能になる。操作取消ボタン８５および８８を操作すると、例えば直前の操作等の取消を行う。実行ボタン８７を選択することにより、コンテンツリスト間でコンテンツ情報の移動あるいは複写が実行される。編集終了ボタン８６が選択されたとき、編集が実行されているコンテンツがあれば、記録メディアへのコンテンツの書き込みおよび読み出しを行う。ここで、図１１（１）は、編集処理ボタンが何も選択されていない表示画面例であり、、図１１（２）は、図１１（１）の移動ボタン８１あるいは複写ボタン８２が選択された場合の表示画面例を示している。なお、本例では編集に必要なボタンしか示しておらず、他の操作ボタンがあってもかまわなし、上記ボタンを常時画面上に表示せず、必要なときにポップアップで表示するようにしてもかまわない。
【００３２】
次に移動処理の流れについて説明する。図１２はコンテンツ移動処理フローの一例を示すものである。
【００３３】
図１１（１）の表示画面例に示すように、例えば、第１の記録メディアのコンテンツ５５を第３の記録メディアに移動する場合、ユーザは、カーソル等を移動させることによりコンテンツ５５のタイトルである「プリマドンナ１」を選択した上で、移動ボタン８１を選択する（Ｓ４０１）。なお、本例はコンテンツ移動処理について説明するため、Ｓ４０１において移動ボタン８１の選択有無を検出しているが、複写ボタン８２等他のボタンが選択された場合にも同様に検出を行い、対応する処理を行う。
【００３４】
Ｓ４０１において移動ボタン８１の選択が検出されると、カーソルにより選択されているコンテンツを移動するコンテンツとして認識し、ユーザに移動先の記録メディアの選択を求める表示を行う（Ｓ４０２）。ユーザにより移動先の記録メディアのＩＤが表示されている部分が選択され、実行ボタン８１が押されると（Ｓ４０３）、移動先の記録メディアを認識し、編集を終了するか否かの確認を求める表示を行う（Ｓ４０４）。なお、この状態では、実際の記録メディア上のコンテンツは移動していないが、画面表示上ではコンテンツリスト上で移動予定のコンテンツがユーザにわかるように、例えば文字の色あるいは濃淡を変える、あるいはマークをつける等の表示を行ったり、文字やマークを点滅させたりすることが望ましい。
【００３５】
終了ボタン８６が選択されると（Ｓ４０５  ＹＥＳ）、例えば、図１３の６１１に示すようなメッセージを表示し、ユーザに移動するコンテンツが記録された記録メディアの挿入を促す（Ｓ４０６）。記録メディアが挿入されると（Ｓ４０７  ＹＥＳ）、記録再生装置６０１では正しい記録メディアであることを確認し、移動するコンテンツとして選択されたコンテンツを挿入された記録メディアから読み込み、記憶部１０に保存する。そして、記憶部１０にコンテンツの保存を完了すると、記録メディアからそのコンテンツを消去する。なお、ユーザが移動ボタン８１の代わりに、複写ボタン８２を選択した場合には、コンテンツの消去は行わない。また、削除ボタン８３を選択した場合には、記録メディアからコンテンツの消去を行い、処理を終了する。
【００３６】
Ｓ４０８において記憶部１０へのコンテンツの保存が行われた後、ユーザに移動先の記録メディアの挿入を促すメッセージを表示する（Ｓ４０９）。ユーザが別の記録メディアを挿入すると（Ｓ４１０  ＹＥＳ）、正しい記録メディアであることを確認し、記憶部１０に保存したコンテンツを挿入された記録メディアに記録する（Ｓ４１１）。
【００３７】
本例では、２つの記録メディアの間で１つのコンテンツを移動させる場合について説明したが、これに限定するものではなく、２つ以上の記録メディア間で複数のコンテンツを移動させる場合に用いても良い。この場合、Ｓ４０１〜Ｓ４０４の移動コンテンツおよび移動先の選択を繰り返し行われ、Ｓ４１２で移動が終了したと判断されるまで、Ｓ４０６〜Ｓ４１１の処理が繰り返される。
【００３８】
なお、ユーザが記録メディアを挿入する際に、記録メディアは同様の外形のため、挿入を要求されている記録メディアがどれであるか分からなくなることがある。そのため、記録メディアをＲＦタグＲＷ部１４にかざすと、図１４の６１２に示すように、メッセージの他に、かざした記録メディアのＩＤを表示するようにしてもよい。
【００３９】
このように、以上説明した方法によれば、記録メディア間のコンテンツの移動および複製が容易に行うことができる。  さらに、記録メディア間のコンテンツ移動あるいは複写処理を効率的に行うための方法について説明する。図１５は、コンテンツ移動の概念図を示す図である。例えば、第１の記録メディア２ａからコンテンツ２６ｃを第３の記録メディア２ｃに、第２の記録メディア２ｂからコンテンツ２６ｅを第１の記録メディアに２ａ、コンテンツ２６ｄを第３の記録メディア２ｃに移動する場合、第１の記録メディア２ａ、第２の記録メディア２ｂ、第３の記録メディア２ｃと順次挿入していくと、再度第１の記録メディア２ａの挿入が必要になる。そこで、コンテンツ編集処理手段で６０２は、記録メディアの挿入回数が最短になるように挿入順番を決め、その決められた順番どおりに挿入のメッセージを表示する。挿入順序の決め方の一例としては、移動元のみのコンテンツを有する記録メディアを第１グループ、移動先のコンテンツを有する記録メディアを第３グループ、移動先および移動元のコンテンツをもつ記録メディアを第２グループとし、第１グループ、第２グループ、第３グループの順番で記録メディアを挿入させる。図１３では、記憶メディア２ｂが第１グループ、記憶メディア２ａが第２グループ、記録メディア２ｃが第３グループとなり、記憶メディア２ｂ、記憶メディア２ａ、記録メディア２ｃの順で記録メディアＲＷに挿入することにより、効率よくコンテンツの移動および複写を行うことができる。
【００４０】
さらに記録メディアの個数が多くなり、それぞれのグループに記録メディアが複数対応する場合は、第１グループおよび第３グループ内の記録メディアの挿入順番は問わないが、第２グループの記録メディアが複数個ある場合はそれらの順序をつける必要がある。第２グループ内での順序の決め方の一例として、まず、任意の記録メディアを選択し、第２グループの最初と最後に挿入するとする。次に、先に選択した記録メディアの移動を無視した場合の、移動元のみとなるか、移動先のみとなるか、移動元および移動先になるとで同様に第２グループの第１グループ、第２グループの第２グループ、第２グループの第３グループにわける。ここで、第２グループがまだ複数個あるばあいは、再び、任意の記録メディアを選択し、以下同様のグループわけをして挿入順序を決めていく。図１６に、第２グループの第２グループが１個以下の場合の、記録再生装置６０１の記録メディアＲＷ部１３への記録メディアの挿入順序を示す。まず、第１グループの記録メディアの挿入を促すメッセージを表示し、第１グループの移動元コンテンツを挿入させる（Ｓ５０１）。次に、第２グループの任意の記録メディアの挿入を促すメッセージを表示し、第２グループの任意の記録メディアの移動元のコンテンツを読み出すとともに、必要に応じてコンテンツを書き込む（Ｓ５０２）。以下、同様に第２グループの第１グループ、第２グループの第２グループ、第２グループの第３グループの順でコンテンツの読出しあるいは書き込みを行う（Ｓ５０３〜Ｓ５０５）。最後に、第２グループの任意の記録メディアおよび第３グループへのコンテンツの書き込みを行い、移動処理を終了する（Ｓ５０６〜Ｓ５０７）。
【００４１】
以上説明したように、コンテンツ編集処理手段６０２により、記憶メディアの挿入回数がなるべく少なくなるように、ユーザに挿入する記憶メディアを通知することにより、効率良く記録メディア間のコンテンツの移動を行うことができる。以上、コンテンツの移動について説明したが、コンテンツの複製についても同様に行う。
【００４２】
図１７に、記録メディアの構成図の一例を示す。記録メディア２３０は、図１に示す記録メディア２にコンテンツ情報生成手段１０１を追加したものである。コンテンツ情報生成手段１０１、メモリカード部２１に記憶されたコンテンツデータを解析し、コンテンツリスト生成に必要なデータを収集し、コンテンツリストデータを生成する。このコンテンツ情報生成手段１０１を記録メディアに備えることにより、コンテンツリスト生成機能のない記録再生手段等で記録メディアにコンテンツを記録しても、記録メディア側でコンテンツリストを生成し、保存することができる。
【００４３】
図１８に、記録メディアのＲＦタグ部２２のメモリ部２９にユーザが登録可能な記録メディア名の記録領域を設けた場合の表示画面例を示す。記録メディアＩＤが表示されていた部分にユーザが好きな名前６２０を表示させることができ、わかり易い表示となる。なお、記録メディアに名前シールを貼るなどすることにより、ユーザが所望の記録メディアを容易に認識可能になる。さらに、記録メディアの表面に、電圧をかけて表示を変え、電圧が加わっていない場合には表示を保持する液晶フィルムを配置し、記録メディアが記録再生装置に挿入されているときに、記録メディア名を設定した場合に、記録メディア上にも同様に記録メディアの名前が表示されるようにしてもよい。
【００４４】
図１９に記録再生装置および記録メディアチェンジャーの構成例を示す。図１と同じものには同じ番号を付し、説明は省略する。
【００４５】
記録再生装置１９０は、図１に示す記録再生装置１に、無線通信手段１７０を追加したものである。無線通信手段１７０は、例えば無線ＬＡＮ等のローカル接続が可能なものである。
【００４６】
記録メディアチェンジャー１７１は、無線通信手段１７０と通信可能な無線通信手段１７２、記録メディア１８０ａ、１８０ｂ、１８０ｃと接続するコネクタ１７６〜１７８、コネクタ１７２〜１７８の中の１つを選択するスイッチ１７５、選択された記録メディアのデータを読書きする記録メディアＲＷ部１７４を備える。制御手段１７３は、記録メディアチェンジャー１７１の各構成を制御し、データの授受を行うものである。例えば、制御手段１７４は、記録再生装置１９０から要求されたコンテンツを無線通信手段１７２を介して送信する。
【００４７】
この記録メディアチャンジャー１７１によれば、記録再生装置１９０に記録メディアを挿入することなく、記録メディア内のコンテンツの閲覧、移動および複製が可能になる。なお、図１７では記録メディアが３枚接続する図で説明したが、コネクタ数を増やすことにより、記録メディアの接続枚数を増やすことができる。さらに、スイッチ部およびコネクタ部のみで構成される拡張ユニットとし、拡張ユニットを追加していくことにより、接続可能な記録メディアの枚数を増やすようにしてもよい。
【図面の簡単な説明】
【００４８】
【図１】コンテンツ処理システムの一例を示す構成図である。
【図２】ＲＦタグ部のメモリ部内のメモリマップの一例を示す図である。
【図３】ＲＦタグ部のメモリに記録されているコンテンツ情報例を示す図である。
【図４】コンテンツ情報読出し処理フローの一例を示す図である。
【図５】記録再生装置の表示部で表示するコンテンツリストの表示例を示す図である。
【図６】コンテンツ及びコンテンツ情報書込み処理フローの一例を示す図である。
【図７】記録メディアの構成例を示す図である。
【図８】コンテンツ処理システムの一例を示す構成図である。
【図９】記録再生装置の表示部での表示例を示す図である。
【図１０】第２および第３の記録メディアに記録されているコンテンツ情報例を示す図である。
【図１１】コンテンツ編集処理中の記録再生装置における表示画面例を示す図である。
【図１２】コンテンツ移動処理フローの一例を示す図である。
【図１３】コンテンツ編集処理中の記録再生装置における表示画面例を示す図である。
【図１４】コンテンツ編集処理中の記録再生装置における表示画面例を示す図である。
【図１５】コンテンツ移動の概念図である。
【図１６】記録メディアＲＷ部への記録メディアの挿入順序例である。
【図１７】記録メディアの構成例を示す図である。
【図１８】記録再生装置の表示部での表示例を示す図である。
【図１９】記録再生装置及び記録メディアチェンジャーの構成の一例を示す図である。
【符号の説明】
【００４９】
１  記録再生装置
２  記録メディア
４  アンテナ
５  受信部
６  制御部
１０  記憶部
１１  操作部
１２  表示部
１３  記録メディアＲＷ部
１４  ＲＦタグＲＷ部
２１  メモリカード部
２２  ＲＦタグ部
【図１】
2008131215.tif 000003
【図２】
2008131215.tif 000004
【図３】
2008131215.tif 000005
【図４】
2008131215.tif 000006
【図５】
2008131215.tif 000007
【図６】
2008131215.tif 000008
【図７】
2008131215.tif 000009
【図８】
2008131215.tif 000010
【図９】
2008131215.tif 000011
【図１０】
2008131215.tif 000012
【図１１】
2008131215.tif 000013
【図１２】
2008131215.tif 000014
【図１３】
2008131215.tif 000015
【図１４】
2008131215.tif 000016
【図１５】
2008131215.tif 000017
【図１６】
2008131215.tif 000018
【図１７】
2008131215.tif 000019
【図１８】
2008131215.tif 000020
【図１９】
2008131215.tif 000021